(57)【要約】【課題】ドライバで初期にサポートされていない任意の記録媒体を使用してプリントする場合であっても、最適な記録が可能な色分解テーブル作成方法を提供する。【解決手段】画像信号を記録装置で用いる色材の信号に変換する処理に用いられる色分解テーブルであって、前記画像信号によって規定される格子点に対応させて前記色材信号として格子点データを格納した色分解テーブルを作成する色分解テーブル作成方法において、記録に用いられる記録媒体の最大色材量を判定するためのチャートを出力する最大色材量判定チャート発生工程と、前記チャートに基づき前記記録媒体の最大色材量の入力を取得する最大色材量取得工程と、前記取得した最大色材量に基づいて、１または複数の予め用意された色分解テーブルを選択する既存色分解テーブル選択工程と、前記選択された既存色分解テーブルを用いて新たな色分解テーブルを作成する色分解テーブル作成工程とを具える。【選択図】図４
2008141395.tif 000002
【特許請求の範囲】
【請求項１】
画像信号を記録装置で用いる色材の信号に変換する処理に用いられる色分解テーブルであって、前記画像信号によって規定される格子点に対応させて前記色材信号として格子点データを格納した色分解テーブルを作成する色分解テーブル作成方法において、
記録に用いられる記録媒体の最大色材量を判定するためのチャートを出力する最大色材量判定チャート発生工程と、
前記チャートに基づき前記記録媒体の最大色材量の入力を取得する最大色材量取得工程と、
前記取得した最大色材量に基づいて、複数の予め用意された色分解テーブルを選択する既存色分解テーブル選択工程と、
前記選択された既存色分解テーブルを用いて新たな色分解テーブルを作成する色分解テーブル作成工程と、
を具えたことを特徴とする色分解テーブル作成方法。
【請求項２】
前記最大色材量取得工程は、前記チャートをセンサで読み取ることにより入力されることを特徴とする、請求項１に記載の色分解テーブル作成方法。
【請求項３】
前記既存色分解テーブル選択工程は、前記最大色材量と最も近い値に対応する既存色分解テーブルを選択することを特徴とする、請求項１または請求項２に記載の色分解テーブル作成方法。
【請求項４】
前記既存色分解テーブル選択工程は、前記最大色材量より低い最大色材量に対応する既存色分解テーブルと、前記最大色材量より高い最大色材量に対応する既存色分解テーブルとを選択することを特徴とする、請求項１または請求項２に記載の色分解テーブル作成方法。
【請求項５】
前記色分解テーブル作成工程は、前記選択された既存色分解テーブルの格子点データを係数乗することにより新たな色分解テーブルを作成することを特徴とする、請求項３に記載の色分解テーブル作成方法。
【請求項６】
前記色分解テーブル作成工程は、２以上の前記選択された既存色分解テーブルの格子点データを、前記最大色材量と、前記選択された既存色分解テーブルに対応するそれぞれの最大色材量との比率により新たな色分解テーブルを作成することを特徴とする、請求項４に記載の色分解テーブル作成方法。
【請求項７】
画像信号を記録装置で用いる色材の信号に変換する処理に用いられる色分解テーブルであって、前記画像信号によって規定される格子点に対応させて前記色材信号として格子点データを格納した色分解テーブルを作成する情報処理装置において、
記録に用いられる記録媒体の最大色材量を判定するためのチャートを出力する最大色材量判定チャート発生手段と、
前記チャートに基づき前記記録媒体の最大色材量の入力を取得する最大色材量取得手段と、
前記取得した最大色材量に基づいて、１または複数の予め用意された色分解テーブルを選択する既存色分解テーブル選択手段と、
前記選択された既存色分解テーブルを用いて新たな色分解テーブルを作成する色分解テーブル作成手段と、
を具えたことを特徴とする情報処理装置。
【請求項８】
前記最大色材量取得手段は、前記チャートをセンサで読み取ることにより入力されることを特徴とする、請求項７に記載の情報処理装置。
【請求項９】
前記既存色分解テーブル選択手段は、前記最大色材量と最も近い値に対応する既存色分解テーブルを選択することを特徴とする、請求項７または請求項８に記載の情報処理装置。
【請求項１０】
前記既存色分解テーブル選択手段は、前記最大色材量より低い最大色材量に対応する既存色分解テーブルと、前記最大色材量より高い最大色材量に対応する既存色分解テーブルとを選択することを特徴とする、請求項７または請求項８に記載の情報処理装置。
【請求項１１】
前記色分解テーブル作成手段は、前記選択された既存色分解テーブルの格子点データを係数乗することにより新たな色分解テーブルを作成することを特徴とする、請求項９に記載の情報処理装置。
【請求項１２】
前記色分解テーブル作成手段は、２以上の前記選択された既存色分解テーブルの格子点データを、前記最大色材量と、前記選択された既存色分解テーブルに対応するそれぞれの最大色材量との比率により新たな色分解テーブルを作成することを特徴とする、請求項１０に記載の情報処理装置。
【請求項１３】
コンピュータに、画像信号を記録装置で用いる色材の信号に変換する処理に用いられる色分解テーブルであって、前記画像信号によって規定される格子点に対応させて前記色材信号として格子点データを格納した色分解テーブルを作成方法を実行させるプログラムであって、前記色分解テーブル作成方法は、
記録に用いられる記録媒体の最大色材量を判定するためのチャートを出力する最大色材量判定チャート発生工程と、
前記チャートに基づき前記記録媒体の最大色材量の入力を取得する最大色材量取得工程と、
前記取得した最大色材量に基づいて、１または複数の予め用意された色分解テーブルを選択する既存色分解テーブル選択工程と、
前記選択された既存色分解テーブルを用いて新たな色分解テーブルを作成する色分解テーブル作成工程と、
を有したことを特徴とするプログラム。
【発明の詳細な説明】
【技術分野】
【０００１】
本発明は、色分解テーブル作成方法および情報処理装置に関し、詳しくは、画像信号をインクなどの色材量の信号に変換する際に用いられる色分解テーブルを記録に用いる記録媒体に対応させて作成する技術に関するものである。
【背景技術】
【０００２】
画像データの色信号を、カラープリンタなどの記録装置で用いるインクやトナーなどの色材の色信号に変換する処理では、色分解テーブル（ＬＵＴ）を用いるのが一般的である。この色分解テーブルは、例えば、Ｒ、Ｇ、Ｂの色信号の値で規定される格子点にインクの色信号である、Ｙ（イエロー）、Ｍ（マゼンタ）、Ｃ（シアン）、Ｋ（ブラック）のインク値（インク量）を格子点データとして格納したものである。
【０００３】
この色分解テーブルの生成方法として、ＲＧＢ色空間において格子点により構成される立方体を、これらの立方体の頂点のうち、それぞれ４点を頂点にもつ６つの四面体に分割する。分割されたそれぞれの四面体を構成する４つの三角形を形成する各辺上の格子点について予めインク量（格子点データ）を定める。そして、この辺上の格子点のインク量に基づく補間処理によって、これら辺以外の四面体内部における各点の格子点のインク量を求める方法が知られている。
【０００４】
一般に、プリンタなどの画像記録装置では、記録媒体に依存した単位面積あたりにプリント可能な色材量である最大色材量が定められ、その範囲内で上記の色分解テーブル（カラープロファイル）が用意されている。これは、市販されている記録用紙などの記録媒体には、市販カラープリンタが単位面積あたりにプリント可能な色材量を吸収することが出来ないものがあることによる。
【０００５】
例えば、プリンタなどの記録装置においてカラー画像をプリント出力する場合、Ｙ、Ｍ、Ｃ、Ｋの色材を重畳的に用いる処理であるため、用いる色材の総量が多くなる傾向にある。この場合、インクジェットプリンタなどでは、記録用紙のインク吸収特性によってはインクを十分に吸収できずインクの溢れや滲みを生じ、濃度などが正確に実現されないことがある。
【０００６】
また、トナーを使用する電子写真方式のプリンタでは、記録用紙のトナー付着特性によってはトナーが十分に記録紙に定着できず、同様に濃度の正確な実現ができないことがある。その結果、色材データを生成する画像処理において良好な画像再現性が図られていたとしても、実際に記録を行なった結果においては正確な画像再現ができない場合がある。
【０００７】
従来、このような問題を抑制するために、例えば、測色的な色分解を行う場合に、最大色材量を考慮して、測色パッチを最大色材量の範囲内で作成し、各プリンタと記録用紙に最適な色分解を行う技術が知られている（特許文献１）。これにより、インクやトナーなどの色材の過剰な付与が生じないようにパッチを記録し、正確な色分解テーブルを作成することができる。
【０００８】
【特許文献１】特開２００４−５８６２６号公報
【発明の開示】
【発明が解決しようとする課題】
【０００９】
しかしながら、上述の方法では、プリンタに関する専門的な知識を有した者がプリンタと用紙の組み合わせに関して調査をし、各最適な組み合わせをプリンタのドライバに搭載する方法でプロファイル提供する。このため、対応可能な用紙が限られてしまい、各ユーザが好みの用紙で出力する場合に、適切な出力結果を提供することができない場合が生じる可能性がある。
【００１０】
本発明は、このような観点からなされたものであり、プリンタに関する専門知識の少ないユーザに対してもオペレーションが容易な色分解テーブル作成方法および画像処理装置を提供することを目的とする。また、好みの用紙に対して、プリンタと用紙の組み合わせにおいて最適な出力が得られるような色分解テーブル作成方法および情報処理装置を提供することを目的とする。
【課題を解決するための手段】
【００１１】
上記目標を達成するため本発明は、画像信号を記録装置で用いる色材の信号に変換する処理に用いられる色分解テーブルであって、前記画像信号によって規定される格子点に対応させて前記色材信号として格子点データを格納した色分解テーブルを作成するための方法において、記録に用いられる記録媒体の最大色材量を判定するためのチャートを出力する最大色材量判定チャート発生工程と、前記チャートに基づき前記記録媒体の最大色材量の入力を取得する最大色材量取得工程と、前記取得した最大色材量に基づいて、１または複数の予め用意された色分解テーブルを選択する既存色分解テーブル選択工程と、前記選択された既存色分解テーブルを用いて新たな色分解テーブルを作成する色分解テーブル作成工程とを具えたことを特徴とする。
【発明の効果】
【００１２】
本発明によれば、ドライバで初期にサポートされていない任意の記録媒体を使用して記録する場合であっても、最適な記録が可能である。
【発明を実施するための最良の形態】
【００１３】
以下に図面を参照して本発明における実施形態を詳細に説明する。
【００１４】
（第１の実施形態）
図１は本発明の第１の実施形態にかかるカラープリンタの画像処理構成を示すブロック図であり、最大色材量を判定した結果に基づいて、色分解テーブル（ＬＵＴ）を生成する処理を示すものである。色分解テーブルは、画像データの色信号を、カラープリンタなどの記録装置で用いるインクやトナーなどの色材の色信号に変換する処理で用いられる。この色分解テーブルは、例えば、Ｒ、Ｇ、Ｂの色信号の値で規定される格子点にインクの色信号である、Ｙ（イエロー）、Ｍ（マゼンタ）、Ｃ（シアン）、Ｋ（ブラック）のインク値（インク量）を格子点データとして格納したものである。
【００１５】
本構成は、以下で説明されるように具体的にはホストコンピュータの例えばプリンタドライバによって実行される処理を示している。しかしながら、これらの処理がプリンタ等の画像出力装置側で行われてもよく、あるいはホスト装置と画像出力装置がこれらの処理を分担してもよく、本発明の適用はこれらのいずれの形態にも適用できることは以下の説明からも明らかである。
【００１６】
図１に示すように、ＬＵＴを生成する処理（以下、色分解処理ともいう。）では、最大色材量判定チャート発生手段１０１において、任意の記録媒体の最大色材量を判定するためのチャートを出力する。そして、最大色材量取得手段１０２では、上記チャートを用いて任意の記録媒体の最大色材量を取得する。取得された任意の記録媒体と最大色材量に基づいて、新規ＬＵＴ生成手段１０３では少なくとも１つの既知の記録媒体のＬＵＴを参照しながら、新しいＬＵＴを生成する。
【００１７】
図２は、上記画像処理を実行する具体的なる画像処理システムを示す図である。
【００１８】
同図において、２０１は画像信号入力装置としてのスキャナを示し、２０２はコンピュータシステムとしてのパーソナルコンピュータを示す。パーソナルコンピュータ２０２は、スキャナ２０１によって読み取られた画像信号を入力し、編集、保管することができる。また、編集等された画像信号情報をディスプレイ２０３によって表示したり、画像出力装置としてのプリンタ２０４によってプリント出力することもできる。３１３は、ユーザが上記のパーソナルコンピュータ２０２の処理、制御に対する指示入力などを行うためのキーボードを示す。
【００１９】
図３は、図２に示したシステムおける特にパーソナルコンピュータ２０２の主要な要素を示すブロック図である。
【００２０】
同図において、３０１は、マウスおよびキーボード３１３と信号の授受を行うためのインターフェース（Ｉ／Ｆ）を示し、３０２は、同様にスキャナ２０１等の画像入力機器との間のインターフェース（Ｉ／Ｆ）を示す。
【００２１】
３０３は、プログラムに従い、パーソナルコンピュータ２０２の各要素の処理、動作を制御し、また、所定の処理を実行するＣＰＵを示す。３０４は、後述されるような画像処理等を記憶したＲＯＭを示し、３０５はＣＰＵによる上記処理等の実行において一時的にプログラムや画像データなど格納するためのＲＡＭを示す。
【００２２】
３０６は処理対象の画像を表示したり、操作者へのメッセージを表示するディスプレイ装置２０３の制御を行うディスプレイ制御装置を示す。３０７はコンピュータシステム２０２とカラープリンタ２０４を信号接続するためのインターフェース（Ｉ／Ｆ）を示す。３０８は、ＲＡＭ３０５等に転送されて用いられるプログラムや画像データを格納したり処理後の画像データを保存するためのハードディスク（ＨＤ）を示す。３０９は、伝送機器３１４とコンピュータシステムを信号接続するインターフェース（Ｉ／Ｆ）を示す。伝送機器３１４は、例えば、コンピュータシステムの各所に保持する様々なデータを外部機器へ伝送したり、外部機器からの様々なデータを受信したりすることが可能なモデムやネットワークカードを用いる。３１０は、外部記憶媒体の一つであるＣＤ（ＣＤ−Ｒ／ＣＤ−ＲＷ／ＤＶＤ）に記憶されたデータを読み込み、あるいは書き出すことのできるＣＤドライブ、３１１は、３１０と同様にＦＤからの読み込み、ＦＤへの書き出しができるＦＤドライブを示す。なお、ＣＤ，ＦＤ，ＤＶＤ等に画像編集用のプログラム、あるいはプリンタ情報等が記憶されている場合には、これらのプログラムをＨＤ３０８上にインストールし、必要に応じてＲＡＭ３０５に転送されるようになっている。３１２は、外部ライン入力３１５やマイク３１６が接続され、外部からの音声データを入力するためのサウンドインターフェース（Ｉ／Ｆ）を示す。
【００２３】
図４は、図１に示した色分解処理、具体的には図２および図３に示した構成上で、実行される色分解テーブル作成処理の手順を示すフローチャートである。なお、図４のフローチャートに示す手順を記述したコンピュータが実行可能なプログラムは、予めＲＯＭ３０４に格納しておいてもよい。また、あらかじめ外部記憶装置３０８に格納されているプログラムをＲＡＭ３０５上に読み込んだのちに、ＣＰＵ３０３によりそのプログラムを実行してもよい。
【００２４】
以下に、本実施の形態における処理の流れを図４に示すフローチャートを用いて説明する。
【００２５】
先ず、ステップ４０１において、総色材量判定パッチを生成し、コンピュータシステム２０２とカラープリンタ２０４をつなぐインターフェース（Ｉ／Ｆ）３０７を介し、プリンタ２０４でユーザが出力したい任意の記録媒体上に出力する。
【００２６】
図５および図６は、総色材量判定パッチの例を示す図である。図５に示す総色材量判定パッチは、所定の幅を持つ総色材量のレベルを有し、各解像度(線数)を変えた記録部分と非記録部分とが直線状に交互に存在する画像である。また、図６に示す総色材量判定パッチは、所定の幅を持つ総色材量のレベルを有する、十字に非記録部分を持つ画像である。なお、総色材量判定パッチは、図５および図６に示すパッチに限定されず、記録部分と非記録部分が隣接するような画像であればよい。また、図示された総色材量種は４種であるが、５種以上であっても、２種または３種であってもよい。さらに、この記録画像は、コンピュータシステム２０２で生成する場合に限られず、ＣＤ３１０やＦＤ３１１などの外部記憶媒体や、ＮＩＣ３１４を介して取得しても良い。
【００２７】
この画像の記録が終わると次にステップ４０２に進む。
【００２８】
ステップ４０２では、ステップ４０１において出力された総色材量判定パッチを元に、ユーザが出力したい任意の記録媒体に対する最大総色材量が入力される。この最大総色材量は、例えば図６に示す総色材量判定パッチにおいて、十字に配された非記録領域の像がはっきりと判別できる限界をユーザが出力結果から読み取り、キーボードまたはマウス３１３を用いて入力する。入力は、最大総色材量を直接入力してもよく、また、パッチ毎に定められた数値や記号を入力することにより行なってもよい。
【００２９】
入力する際には、十字の文字がどの程度つぶれているかの指標を準備しておくとなお良く、その指標の中に、テキストを記録する場合と写真を記録する場合のつぶれ具合を区別してあっても良い。入力された最大総色材量は、ＲＯＭ３０４に記憶される。
【００３０】
次に、ステップ４０３では、ステップ４０２において入力された最大総色材量を元に、既存のＬＵＴから総色材量の合致する又は近いＬＵＴを１つまたは２つ検索する。
【００３１】
図７は、予め用意された既存のＬＵＴ（既存色分解テーブル）の有無のデータを格納したテーブルを示す図である。この既存のＬＵＴとは、例えば、コンピュータシステム２０２内に組み込まれたドライバの中に存在し、ＣＤ３１０やＦＤ３１１などの外部記憶媒体として配布され、または、ＮＩＣ３１４を介して取得可能であるＬＵＴである。また、既存のＬＵＴは、これらに存在する組合せであってもよい。
【００３２】
同図では、既存のＬＵＴとして、例えば、総色材量１８０のテーブルは上述した記憶媒体等に存在しており、総色材量２００のテーブルは存在していないことを示している。そして、ステップ４０２において入力された最大総色材量が「２００」「２２０」「２４０」である場合には既存ＬＵＴが存在しているため、それぞれに対応した既存ＬＵＴを検索する。一方、「１８０」「２６０」である場合や、図７に示す表に総色材量の値が存在しない場合には、既存ＬＵＴが存在しないため、取得可能な１又は複数のＬＵＴを検索する。例えば、入力された一番近い値の最大総色材量に対応する既存ＬＵＴや、入力された値を挟む総色材量に対応した２つのＬＵＴを検索する。検索されたＬＵＴの情報はＲＯＭ３０４やＨＤ３０８などに記憶される。この１つのＬＵＴを検索するか、あるいは２つのＬＵＴを検索するかは、例えば、その色分解システムの仕様に応じて予め設定しておく。
【００３３】
ステップ４０４では、ステップ４０３において検索されたＬＵＴを元に、ステップ４０１において出力に使用された任意の記録媒体に最適なＬＵＴを生成する。このＬＵＴの生成においては、ステップ４０３において検索されたＬＵＴが２種であった場合には、検索された２つのＬＵＴに対応する最大色材量に基づいて補間計算をする。例えば、各既存ＬＵＴの最大色材量とステップ４０２において入力された、ターゲットとなる記録媒体の最大色材量と、上記検索された２つのＬＵＴに対応する最大色材量とに基づいて補間計算をする。すなわち、検索されたＬＵＴに対応するそれぞれの総色材量と、入力された総色材量それぞれとの差を内部補間の比とし、その比率で、同じ位置の対応する格子点毎の格子点データを用いて補間し、新たに求めるＬＵＴの格子点データを求める。
【００３４】
また、一つであった場合には、検索されたＬＵＴの各格子点データを、検索されたＬＵＴの総色材量に対する入力された最大色材量比で等倍処理して係数乗の計算をする。計算されたＬＵＴは、ＲＯＭ３０４に記憶され、またはＨＤ３０８に記憶され、プリンタドライバが本処理の後にいつでも使用できるように設定さる。
【００３５】
ステップ４０４を終えると一連の処理を終える。
【００３６】
（第２の実施形態）
前記第１の実施形態において、ステップ４０２において入力される最大総色材量は、ユーザ自身が判定を行っていたが、本発明はこれに限るものではない。
【００３７】
ステップ４０２における判定は、自動で行っても良いのはもちろんであり、例えば記録されたパッチ画像をスキャナ２０１等により読み取り、図６に示される十字状の非記録部分を抽出した後、自動的に判定するものであっても良い。さらには、ＣＣＤ等のセンサをプリンタ２０４に搭載するなどして、図５に示すパッチを読み込んだ後に、各色材量に対する鮮鋭度データを作成し、鮮鋭度データに基づいて最大色材量を自動で判定するようにしても良い。また、その際の判定基準は、記録する対象がテキストであるのか写真であるのか等によって変更しても良く、例えば、テキスト・写真それぞれにより各解像度での閾値を持っておくことにより行なう。
【００３８】
（第３の実施形態）
上述した実施形態では、ユーザが出力したい記録媒体に関する情報入力は、最大色材量のデータのみであったが、本発明はこれに限るものではない。
【００３９】
図８は、本実施形態における色分解画像処理構成を示すブロック図である。本実施形態の色分解処理では、最大色材量判定チャート発生手段８０１において、後に８０３で選択する記録媒体で、最大色材量を判定するためのチャートを出力する。そして、最大色材量取得手段８０２では、上記チャートを用いて任意の記録媒体の最大色材量を取得する。そして、任意の記録媒体、例えば光沢紙、半光沢紙、コート紙などのカテゴリを記録媒体カテゴリ取得手段８０３で取得する。取得された任意の記録媒体と最大色材量に基づいて、新規ＬＵＴ生成手段８０４では少なくとも１つの既知記録媒体のＬＵＴを参照しながら、新しいＬＵＴを生成する。
【００４０】
図９は、図８に示した色分解処理の手順を示すフローチャートである。ステップ９０１および９０２は、第１の実施形態における図４に示す各ステップ４０１および４０２と同様の処理である。
【００４１】
そして、ステップ９０３では、記録媒体のカテゴリが入力される。この記録媒体のカテゴリは、ユーザによってマニュアルで入力されてもよく、鏡面光沢度計やゴニオフォトメータがある場合には、測定値を入力し自動的に判別して入力されてもよい。記録媒体のカテゴリデータは、ＲＯＭ３０４に記憶され、ステップ９０４に進む。
【００４２】
ステップ９０４においては、ステップ９０２において入力された最大総色材量を元に、既存のＬＵＴから総色材量の合致する又は近いＬＵＴを１つまたは２つ検索する。
【００４３】
図１０は、既存のＬＵＴの有無のデータを格納したテーブルを示す図である。この既存のＬＵＴとは、例えば、コンピュータシステム２０２内に組み込まれたドライバの中に存在し、ＣＤ３１０やＦＤ３１１などの外部記憶媒体として配布され、または、ＮＩＣ３１４を介して取得可能であるＬＵＴである。また、既存のＬＵＴは、これらに存在する組合せであってもよい。
【００４４】
第１の実施形態において説明した図７と異なり、本実施形態では、総色材量とそれぞれの記録媒体に対応したＬＵＴの有無を示している。そして、第１実施形態における既存ＬＵＴ検索と同様に、存在する１つ又は複数のＬＵＴを検索する。検索されたＬＵＴの情報はＲＯＭ３０４やＨＤ３０８などに記憶される。
【００４５】
そして、ステップ９０５において、これらの検索されたＬＵＴを元に、新たなＬＵＴを作成する。
【００４６】
（その他）
本発明は上記実施形態を実現する為の装置及び方法のみに限定されるものではない。すなわち、上記システム又は装置内のコンピュータ（ＣＰＵあるいはＭＰＵ）に、上記実施の形態を実現する為のソフトウエアのプログラムコードを供給する。そして、このプログラムコードに従って上記システムあるいは装置のコンピュータが上記各種デバイスを動作させることにより上記実施形態を実現してもよい。
【００４７】
またこの場合、ソフトウエアのプログラムコード自体が上記実施形態の機能を実現することになる。そのプログラムコード自体、及びそのプログラムコードをコンピュータに供給する為の手段、具体的には上記プログラムコードを格納した記憶媒体は本発明の範疇に含まれる。この様なプログラムコードを格納する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００４８】
また、上記コンピュータが、供給されたプログラムコードのみに従って各種デバイスを制御することにより、上記実施の形態の機能が実現される場合だけに限られない。上記プログラムコードがコンピュータ上で稼働しているＯＳ(オペレーティングシステム)、あるいは他のアプリケーションソフト等と共同して上記実施形態が実現されてもよい。
【００４９】
更に、この供給されたプログラムコードが、コンピュータの機能拡張ボードやコンピュータに接続された機能拡張ユニットに備わるメモリに格納された後、そのプログラムコードの指示に基づいてその機能拡張ボードや機能格納ユニットに備わるＣＰＵ等が実際の処理の一部又は全部を行い、その処理によって上記実施の形態が実現されてもよい。
【図面の簡単な説明】
【００５０】
【図１】本発明の第１の実施形態における色分解画像処理構成を示すブロック図である。
【図２】本発明の第１の実施形態における画像システムを示す図である。
【図３】図２に示す画像システムの主要な要素を示す図である。
【図４】本発明の第１の実施の形態における色分解画像処理を示すフローチャートである。
【図５】本発明の第１の実施形態におけるパッチを示す図である。
【図６】本発明の第１の実施形態におけるパッチを示す図である。
【図７】本発明の第１の実施形態における既存ＬＵＴの有無のデータを格納したテーブルを示す図である。
【図８】本発明の第３の実施形態における色分解画像処理構成を示すブロック図である。
【図９】本発明の第３の実施形態における色分解画像処理を示すフローチャートである。
【図１０】本発明の第３の実施形態における既存ＬＵＴ有無のデータを格納したテーブルを示す図である。
【符号の説明】
【００５１】
２０１  スキャナ
２０２  パーソナルコンピュータ
２０３  ディスプレイ
２０４  プリンタ
３１３  キーボード
【図１】
2008141395.tif 000003
【図２】
2008141395.tif 000004
【図３】
2008141395.tif 000005
【図４】
2008141395.tif 000006
【図５】
2008141395.tif 000007
【図６】
2008141395.tif 000008
【図７】
2008141395.tif 000009
【図８】
2008141395.tif 000010
【図９】
2008141395.tif 000011
【図１０】
2008141395.tif 000012